(57)【要約】      （修正有）【課題】ヒータの温度を比較的低くしても、温かみが伝わり、ヒータの温度が低いので消費電力も少ないペット用ベッドを提供する。【解決手段】４枚の側板及び底板１５を有する上部開放の容器と、底板１５の上に載置された断熱材１７と、断熱材１７の上に載置された電熱源１８と、電熱源１８の上に載置され電熱源１８によって加熱されて遠赤外線を発生する遠赤外線発生板１９と、遠赤外線発生板１９の上に載せられた敷物２０とを有し、側板１１〜１４は２０〜３０ｍｍ厚の木材、底板１５が８〜１５ｍｍ厚の木材で構成され、断熱材１７は２０〜３５ｍｍ厚の発泡プラスチックによって構成され、遠赤外線発生板１９は１２〜１８ｍｍの厚みとする。【選択図】図１
0003148587.tif 000002
【実用新案登録請求の範囲】
【請求項１】
側板及び底板を有する容器と、前記底板の上に載置された断熱材と、該断熱材の上に載置された電熱源と、該電熱源の上に載置され該電熱源によって加熱されて遠赤外線を発生する遠赤外線発生板と、前記遠赤外線発生板の上に載せられた敷物とを有してなることを特徴とするペット用ベッド。
【請求項２】
請求項１記載のペット用ベッドにおいて、前記側板は２０〜３０ｍｍ厚の木材、前記底板が８〜１５ｍｍ厚の木材で構成され、前記断熱材は２０〜３５ｍｍ厚の発泡プラスチックによって構成され、前記遠赤外線発生板は１２〜１８ｍｍの厚みとなっていることを特徴とするペット用ベッド。
【請求項３】
請求項１及び２のいずれか１記載のペット用ベッドにおいて、前記容器の外寸法は、縦が３００〜９００ｍｍ、横が６００〜１０００ｍｍの範囲に、高さが１００〜４００ｍｍの範囲にあることを特徴とするペット用ベッド。
【請求項４】
請求項１〜３のいずれか１記載のペット用ベッドにおいて、前記遠赤外線発生板は、それぞれ遠赤外線放射材からなって、粒度が１ｍｍを超え３ｍｍ未満の範囲にある骨材と、該骨材の０．８〜２．５倍の範囲の質量を有し粒度が０．１ｍｍ以上１ｍｍ以下の範囲にある細骨材とを、内部にシート状補強部材を配置した状態でバインダーで固めたものからなることを特徴とするペット用ベッド。
【考案の詳細な説明】
【技術分野】
【０００１】
本考案は犬、猫、兎等の小動物からなるペットに適したペット用ベッドに関り、特に、ヒータと遠赤外線発生板を組み入れたペット用ベッドに関する。
【背景技術】
【０００２】
従来、ペット用ベッドとしては、例えば、犬小屋等があり暖房装置を設けたものも提案されている（例えば、特許文献１参照）。また、ハムスター、二十日鼠、リス等の小動物用の保温器も、例えば、特許文献２等で知られている。
【０００３】
【特許文献１】実開昭６３−２６２６２号公報
【特許文献２】特開２０００−１３３４１５号公報
【考案の開示】
【考案が解決しようとする課題】
【０００４】
しかしながら、これらの動物飼育具においては、電気ヒータを用いた発熱体を使用しているので、熱の伝達は熱伝導による。従って、ヒータの温度が低いと温かみに欠け、温かくしようとして少し温度を上げると低温火傷等が発生し易いという問題があり、調整が難しいという問題があった。
【０００５】
本考案はかかる事情に鑑みてなされたもので、ヒータの温度を比較的低くしても、温かみが伝わり、ヒータの温度が低いので消費電力も少ないペット用ベッドを提供することを目的とする。
【課題を解決するための手段】
【０００６】
前記目的に沿う第１の考案に係るペット用ベッドは、側板及び底板を有する容器と、前記底板の上に載置された断熱材と、該断熱材の上に載置された電熱源と、該電熱源の上に載置され該電熱源によって加熱されて遠赤外線を発生する遠赤外線発生板と、前記遠赤外線発生板の上に載せられた敷物とを有してなる。
【０００７】
また、第２の考案に係るペット用ベッドは、第１の考案に係るペット用ベッドにおいて、前記側板は２０〜３０ｍｍ厚の木材、前記底板が８〜１５ｍｍ厚の木材で構成され、前記断熱材は２０〜３５ｍｍ厚の発泡プラスチックによって構成され、前記遠赤外線発生板は１２〜１８ｍｍの厚みとなっている。
【０００８】
第３の考案に係るペット用ベッドは、第１、第２の考案に係るペット用ベッドにおいて、前記容器の外寸法は、縦が３００〜９００ｍｍ、横が６００〜１０００ｍｍの範囲に、高さが１００〜４００ｍｍの範囲にある。
【０００９】
そして、第４の考案に係るペット用ベッドは、第１〜第３の考案に係るペット用ベッドにおいて、前記遠赤外線発生板は、それぞれ遠赤外線放射材からなって、粒度が１ｍｍを超え３ｍｍ未満の範囲にある骨材と、該骨材の０．８〜２．５倍の範囲の質量を有し粒度が０．１ｍｍ以上１ｍｍ以下の範囲にある細骨材とを、内部にシート状補強部材を配置した状態でバインダーで固めたものからなる。
【００１０】
以上の考案において、電熱源の温度は１５〜３０℃の範囲にあるのが好ましい。これによって、遠赤外線発生板を加熱し遠赤外線を発生する。発生する遠赤外線は浸達度が大きいので、その上に載置されている敷物を通過して動物の保温を行う。
なお、容器は上部開放であるのが好ましいが、容器の側板を上方に継ぎ足して屋根を設けると共に、一の側板に出入り口を設けて犬小屋風とする場合も本考案は適用される。
【考案の効果】
【００１１】
本考案は以上のように構成されているので、電熱源の加熱により遠赤外線が発生し、これによってペット等に低温火傷等が発生しにくい。
また、電熱源の温度を低く設定できるので、電気代を節約できる。特に、電熱源の下に２０〜３５ｍｍ厚の発泡プラスチック製の断熱材を設けることによって、電熱の有効利用ができる。
【考案を実施するための最良の形態】
【００１２】
続いて、添付した図面を参照しつつ、本考案を具体化した実施の形態につき説明し、本考案の理解に供する。
ここで、図１は本考案の一実施の形態に係るペット用ベッドの断面図、図２は同一部省略斜視図である。
【００１３】
図１、図２に示すように、本考案の一実施の形態に係るペット用ベッド１０は、それぞれ木製又は硬質プラスチック板製の側板１１〜１４及び底板１５を有する上部開放の容器１６を有している。この容器１６の外寸法は、縦ａが３００〜９００ｍｍ、横ｂが６００〜１０００ｍｍの範囲に、高さｈが１００〜４００ｍｍの範囲にあるが、ペットの種類によってこれよりも大きくすることもできるし、小さくすることもできる。
【００１４】
なお、側板１１〜１４は強度を確保するため２０〜３０ｍｍ厚の檜材、杉材、樫材、ベニア材が使用できるが、ヒノキチオールを含む檜材等が好ましい。この実施の形態では、底板１５は８〜１５ｍｍ厚となっている。
なお、側板１１〜１４の内側の下部位置で下から５〜１０ｍｍの位置に底板１５が嵌入する溝を設け、この溝に底板１５の端部を嵌入させて上げ底としてもよい。
【００１５】
容器１６内で、底板１５の上には発泡ポリスチロール（発泡プラスチックの一例）からなる２０〜３５ｍｍ厚の断熱材１７が配置され、その上に電熱源１８が配置されている。電熱源１８にはＰＴＣ（Positive  Temperature  Coefficient)を用いた面状発熱体が使用され、スイッチ２１をオンにすることによって、１５〜３０℃の温度範囲になるように設定されている。
【００１６】
この電熱源１８の上には、１２〜１８ｍｍ厚の遠赤外線発生板１９が配置されている。この遠赤外線発生板１９は、それぞれ遠赤外線放射材からなって、粒度が１ｍｍを超え３ｍｍ未満の範囲にある骨材と、骨材に対する質量の割合が、骨材に対して０．８以上２．５以下であって粒度が０．１ｍｍ以上１ｍｍ以下の範囲にある細骨材とを、内部にシート状補強部材を配置した状態でバインダーで固めたものからなるのがよい。ここで、バインダーとしては、セメントを用い、更に竹炭の粉砕物を少量混合している。
【００１７】
骨材は天然鉱石破砕物及びスラグ破砕物からなり、細骨材は天然鉱石粉砕物及び廃ガラス粉砕物からなっている。また、セメントは、遠赤外線放射材中に遠赤外線放射材の１７質量％以上２５質量％以下加える。即ち、遠赤外線放射材とセメントを合わせて１００質量％とした場合、１５質量％以上２０質量％以下がセメントとなる。そして、遠赤外線発生板１９は、遠赤外線放射材、竹炭の粉砕物、及びセメントの混合物に、檜オイルが添加された混練水を加えて調製した混練物を、成形型内に充填し、例えば油圧プレスで圧縮成形して製造される。
【００１８】
シート状補強部材の一例である金網の網目間隔は、例えば、５〜１５ｍｍであり、圧縮成形時に成形型内で混練物が移動する際に、粒度が１ｍｍを超え３ｍｍ以下の範囲にある骨材は金網を通過できるようになっている。これにより、成形型内での骨材の移動が妨げられず、中央部に金網が配設され、骨材、細骨材、竹炭の粉砕物、及びセメントが均一に分散した状態の遠赤外線発生板１９が得られる。そして、粒度が０．１ｍｍ以上１ｍｍ以下の細骨材を、骨材に対して０．８以上２．５以下配合することで、セメント、細骨材、及び竹炭の粉砕物からなる結合相の収縮量を小さくでき、養生後に得られる乾燥状態の遠赤外線発生板１９において、骨材の周囲が結合相で確実に取り囲まれた状態の組織を形成することができる。その結果、遠赤外線発生板１９に安定した強度を発現させることができる。
【００１９】
混練水には、鉱泉水を使用し、その使用量は、セメントが加えられた遠赤外線放射材に対して外掛けで１２〜１６質量％である。混練水量が１２質量％未満では、均質な混練物が得られ難く成形型内での混練物の滑りが不十分となり、遠赤外線発生板１９の密度が低くなり、単位面積当たりの遠赤外線放射量が低下する。一方、混練水量が１６質量％を超えると、成形直後の遠赤外線発生板１９に含まれる水分量が多いため、養生、乾燥後の遠赤外線発生板１９の密度は低くなり、単位面積当たりの遠赤外線放射量が低下する。
【００２０】
ここで、鉱泉水には、例えば、ナトリウムイオン、カルシウムイオン、マグネシウムイオン、塩素イオン、硫酸イオン、ヒドロ炭素イオン等の各種イオンが含まれており、竹炭の粉砕物とセメントが添加された遠赤外線放射材に混練水を加えて混練物を調製する際に、上記の各種イオンの作用と考えられるが、混練物の均一性が向上する傾向を示す。このため、遠赤外線発生板１９の組織が均一となり、遠赤外線発生板１９表面の単位面積当たりからの遠赤外線放射率が向上する。また、混練水には、檜オイルを混練水に対して外掛けで０．２体積％以上０．４体積％以下添加している。檜オイルを加えることで、混練物に可塑性を付与することができ、成形型内での混練物の滑りが促進されると共に、遠赤外線発生板１９を成形した際の表面状態が滑らかになる。
【００２１】
骨材は、遠赤外線を放射する天然鉱石破砕物の一例である蛇紋石破砕物と、スラグ破砕物の一例である高炉スラグ破砕物からなり、蛇紋石破砕物と高炉スラグ破砕物の割合は、高炉スラグ破砕物に対して蛇紋石破砕物が０．３以上０．９以下である。また、細骨材は、天然鉱石粉砕物の一例である蛇紋石粉砕物と、廃ガラス粉砕物からなり、蛇紋石粉砕物と廃ガラス粉砕物の割合は、廃ガラス粉砕物に対して蛇紋石粉砕物が１以上３以下である。
【００２２】
蛇紋石は、非常に高い遠赤外線の放射率を有するが、産地により成分が変動し、遠赤外線放射率も変動するという問題がある。一方、高炉スラグは、遠赤外線の放射率が高い金属酸化物、例えば、シリカ（二酸化珪素）、酸化アルミニウム、酸化マグネシウムを含み、これらの成分含有率は蛇紋石と比較して安定している。このため、蛇紋石破砕物と高炉スラグ破砕物を組み合わせると、蛇紋石破砕物からの遠赤外線放射率が変動しても、骨材からの遠赤外線放射率を一定範囲に調整することができる。ここで、高炉スラグ破砕物に対して蛇紋石破砕物の使用が０．３未満では、骨材からの遠赤外線放射率が低くなって好ましくない。また、高炉スラグ破砕物に対して蛇紋石破砕物の使用が０．９を超えると、骨材からの遠赤外線放射率を一定範囲に調整することが困難となる。このため、高炉スラグ破砕物に対して蛇紋石破砕物が０．３以上０．９以下とした。なお、この他、少量（例えば、０．００１〜１質量％）のゲルマニウム又はゲルマニウム化合物をいれてもよい
【００２３】
廃ガラスは、シリカが主体で、更に、色ガラスに由来し、遠赤外線の放射率が高い金属酸化物、例えば、酸化鉄、酸化ニッケル、酸化マンガン、酸化クロム等を含む。このため、廃ガラス粉砕物は、高い遠赤外線の放射率を有し、蛇紋石粉砕物の一部を廃ガラス粉砕物に置き換えることで、遠赤外線放射材のコストを下げることができる。ここで、酸化鉄、酸化ニッケル、酸化マンガン、酸化クロム等の遠赤外線の放射率が高い金属酸化物が含有される割合は、廃ガラス中の含まれる色ガラスの種類とその割合で決まるため、廃ガラス粉砕物の遠赤外線放射率の変動幅は、蛇紋石粉砕物の遠赤外線放射率の変動幅よりも大きい。このため、細骨材からの遠赤外線放射率を一定範囲に調整する場合、蛇紋石粉砕物と廃ガラス粉砕物の割合は、廃ガラス粉砕物に対して蛇紋石粉砕物を１以上３以下とした。
【００２４】
更に、遠赤外線放射材には、８００℃以上の温度で焼成した竹炭の粉砕物（例えば、粒度が３ｍｍ以下）が添加されている。８００℃以上の温度で焼成した竹炭の遠赤外線放射率は大きいので、竹炭の粉砕物を添加することで遠赤外線放射材の遠赤外線放射効率を更に高めることができる。また、一般に炭（炭素材）の熱伝導率は大きいので、竹炭の粉砕物を遠赤外線放射材に添加することで、遠赤外線発生板１９の熱伝導を向上させることができる。このため、図１に示すように、遠赤外線発生板１９の一面側を電熱源１８で加熱して遠赤外線発生板１９の温度を上昇させ、遠赤外線発生板１９の他面側から遠赤外線を放射する場合、遠赤外線発生板１９の他面側の温度が短時間で上昇して、遠赤外線発生板１９の他面側からの遠赤外線放射率を大きくすることができる。
【００２５】
ここで、遠赤外線放射板１９の熱伝導の向上を顕著とするためには、遠赤外線放射材に対して外掛けで７質量％以上の竹炭の粉砕物を添加する必要がある。一方、竹炭の粉砕物の添加量が多くなると、結合相中のセメント部分の連結が竹炭の粉砕物により分断されるため、遠赤外線発生板１９の強度は徐々に低下し、遠赤外線放射材に対して外掛けで１３質量％を超えて竹炭の粉砕物を添加すると、遠赤外線発生板１９の強度は大きく低下する。このため、遠赤外線放射材に添加する竹炭の量を、遠赤外線放射材に対して外掛けで７質量％以上、好ましくは８質量％以上、より好ましくは１１質量％以上で、１３質量％以下とした。
【００２６】
そして、側板１１にはこの側板１１の外側でオンオフできるスイッチ２１が設けられ、更に側板１３の下側にはＡＣ１００Ｖの電源に接続されるプラグ２２付きのコード２３が突出して配線されている。これによって、ＡＣ１００Ｖの電源の供給を受けて、電熱源１８に電力を供給できるようになっている。
【００２７】
この遠赤外線発生板１９の上には、厚みが６〜１２ｍｍ程度の敷物２０が載置されている。敷物２０としては厚めの絨毯、カーペット、毛布、厚布等の熱伝導性が悪く、保温性を有するものがよい。
【００２８】
前記実施の形態においては、寸法を特定して説明したが本考案はこれらの寸法に限定されるものではない。また、側板１１〜１４を更に延長して屋根を設ける場合、側板１１〜１４の一部に出入り口を設ける場合も本考案は適用される。
前記実施の形態においては、プレス成形にて遠赤外線発生板を製造したが、型を用いて手作りで遠赤外線発生板を製造することもできる。また、いずれの製造方法においても、シート状補強部材として、金網の他に繊維状物（例えば、不織布）を用いることもできる。
【図面の簡単な説明】
【００２９】
【図１】本考案の一実施の形態に係るペット用ベッドの断面図である。
【図２】同一部省略斜視図である。
【符号の説明】
【００３０】
１０：ペット用ベッド、１１〜１４：側板、１５：底板、１６：容器、１７：断熱材、１８：電熱源、１９：遠赤外線発生板、２０：敷物、２１：スイッチ、２２：プラグ、２３：コード
【図１】
0003148587.tif 000003
【図２】
0003148587.tif 000004